(57)【要約】【課題】無線通信システムにおいて、移動局がチャネル品質を報告する方法を提供する。【解決手段】前記方法は、制御ブロックのために割り当てられた無線ブロックを受信し、前記制御ブロックは、ヘッダと制御メッセージを含み、前記ヘッダは、識別子を含む段階、前記識別子が前記移動局を識別する時、前記制御ブロックのために割り当てられた無線ブロックに対するチャネル品質を測定する段階、及び前記チャネル品質を報告する段階、を含む。移動局は、自分の制御ブロックに対するチャネル品質を報告することができる。【選択図】図３
2010514249.tif 000002
【特許請求の範囲】
【請求項１】
無線通信システムにおいて移動局がチャネル品質を報告する方法において、
制御ブロックのために割り当てられた無線ブロックを受信し、前記制御ブロックは、ヘッダと制御メッセージを含み、前記ヘッダは、識別子を含む段階；
前記識別子が前記移動局を識別する時、前記制御ブロックのために割り当てられた無線ブロックに対するチャネル品質を測定する段階；及び、
前記チャネル品質を報告する段階；
を含む方法。
【請求項２】
データブロックのために割り当てられた無線ブロックを受信し、前記データブロックは、ヘッダと上位階層データを含み、前記データブロックのヘッダは、識別子を含む段階；及び、
前記データブロックのヘッダ内の識別子が前記移動局を識別する時、前記データブロックのために割り当てられた無線ブロックに対するチャネル品質を測定する段階；
をさらに含む請求項１に記載の方法。
【請求項３】
前記制御ブロックのために割り当てられた無線ブロックと前記データブロックのために割り当てられた無線ブロックは、異なる変調方式に変調される請求項２に記載の方法。
【請求項４】
前記制御ブロックのために割り当てられた無線ブロックは、ＧＭＳＫ(Gaussian Minimum Shift Keying)に変調されて、前記データブロックのために割り当てられた無線ブロックは、８-ＰＳＫ(８-Phase Shift Keying)に変調される請求項３に記載の方法。
【請求項５】
前記識別子は、ＴＦＩ(Temporary Flow Identity)である請求項１に記載の方法。
【請求項６】
前記制御ブロックは、ＲＬＣ(Radio Link Control)/ＭＡＣ(Medium Access Control)制御ブロックである請求項１に記載の方法。
【請求項７】
前記無線ブロックは、ＥＧＰＲＳ(Enhanced General Packet Radio Service)標準に合う変調方式に変調される請求項１に記載の方法。
【請求項８】
前記チャネル品質は、ＢＥＰ(Bit Error Probability)である請求項１に記載の方法。
【請求項９】
前記チャネル品質は、複数のＢＥＰの平均である平均ＢＥＰと複数のＢＥＰの分散(variances)の平均である分散係数ＢＥＰである請求項１に記載の方法。
【請求項１０】
無線通信システムにおいてチャネル品質を受信する方法において、
制御ブロックのために割り当てられた無線ブロックを伝送し、前記制御ブロックは、ヘッダと少なくとも一つの制御メッセージを含み、前記ヘッダは、チャネル品質を報告する移動局を識別する識別子を含む段階；及び、
前記移動局から前記無線ブロックに対するチャネル品質を受信する段階；
を含む方法。
【請求項１１】
前記受信されたチャネル品質に基づいてＭＣＳ(modulation and coding scheme)を選択する段階をさらに含む請求項１０に記載の方法。
【請求項１２】
無線通信システムにおいて移動局がチャネル品質を報告する方法において、
ＰＡＣＣＨ(PacketAssociated Control Channel)上に制御ブロックとＰＤＴＣＨ(PacketData Traffic Channel)上にデータブロックとを受信し、前記制御ブロックは、ヘッダと制御メッセージを含み、前記制御ブロックのヘッダは、識別子を含み、前記データブロックは、ヘッダと上位階層データを含み、前記データブロックのヘッダは、前記識別子を含む段階；
前記識別子が前記移動局を識別する時、前記ＰＡＣＣＨ及びＰＤＴＣＨに対するチャネル品質を測定する段階；及び、
前記チャネル品質を報告する段階；
を含む方法。
【請求項１３】
無線ブロックを送信及び受信するＲＦ(Radio Frequency)部；
前記ＲＦ部と連結されて、制御ブロックに対する無線ブロックのチャネル品質を測定するプロセッサを含み、前記制御ブロックは、ヘッダと少なくとも一つの制御メッセージを含み、前記ヘッダは、移動局を識別する識別子を含む無線機器。
【請求項１４】
前記プロセッサは、ネットワークに前記チャネル品質を報告する請求項１３に記載の無線機器。
【発明の詳細な説明】
【技術分野】
【０００１】
本発明は、無線通信に関し、より詳しくは、無線環境によるエラーを縮めるチャネル品質報告方法に関する。
【背景技術】
【０００２】
ＧＳＭ(GlobalSystem for Mobile communication)は、ヨーロッパ地域の無線通信手段を標準化しようとするシステムの一つとして開発された以来、全世界的に広く配置されている。ＧＰＲＳ(GeneralPacket Radio Service)は、ＧＳＭが提供する回線網データサービス(Circuit Data Service)でパケットデータサービス(PacketData Service)を提供するために導入されたものである。ＥＤＧＥ(Enhanced Data Rate for GSM Evolution)は、ＧＳＭで採用されたＧＭＳＫ(GaussianMinimum Shift Keying)の代りに８-ＰＳＫ(Phase Shift Keying)を採用する。ＥＧＰＲＳ(Enhanced GeneralPacket Radio Service)は、ＥＤＧＥを用いたＧＰＲＳを示す。
【０００３】
ＧＰＲＳ/ＥＧＰＲＳトラフィック専用の物理チャネルは、ＰＤＣＨ(PacketData Channel)という。ＰＣＣＣＨ(Packet Common Control Channel)、ＰＤＴＣＨ(Packet Data TrafficChannel)及びＰＡＣＣＨ(Packet Associated Control Channel)のような論理チャネルがＰＤＣＨにマッピングされる。ＰＣＣＨは、パケット伝送の初期化に必要な制御シグナリングに使われる。ＰＤＴＣＨは、使用者データの伝送に使われる。ＰＡＣＣＨは、専用シグナリングに使われる。
【０００４】
ＧＳＭシステムと違って、ＥＧＰＲＳシステムは、多重伝送率を支援する。例えば、データは、ＰＤＴＣＨ上に９個の異なる伝送率に伝送される。リンク適応(link adaptation)という過程で、伝送率はチャネル状態に基づいて調整される。チャネル状態が良いと、データは一層高い伝送率に伝送されることができる。その反対に、状態が悪いと、データは一層遅い伝送率に伝送される。チャネル状態より高い特定ＭＣＳ(modulationand coding scheme)を用いてデータを伝送すると、データの損失を引き起こすようになる。リンク適応は、与えられたチャネル状態でできる限り最も高い伝送率を用いて全体データスループット(throughput)を高める。
【０００５】
ＥＧＰＲＳシステムにおいて、移動局は、基地局にチャネル品質を報告する必要がある。基地局と移動局との間のチャネル品質は、ＢＥＰ(Bit Error Probability)によって表現される。ＢＥＰは、無線チャネル上で移動局により受信される信号の実際ＢＥＲ(BitError Rate)の期待値(expected value)である。基地局は、報告されたチャネル品質に従属する適切なＭＣＳを選択する。リンク適応は、チャネル品質が実際ＢＥＲを最も正確に推定するＢＥＰに報告される時、最も效率的に遂行されることができる。ＢＥＰはバースト単位(burst-by-burst)によって測定される。
【０００６】
ＥＧＰＲＳシステムにおいて、使用者データと制御メッセージは、異なる変調方式を使用してもよい。例えば、使用者データのためのＰＤＴＣＨは、ＧＭＳＫ(Gaussian Minimum Shift Keying)または８-ＰＳＫ(octal-Phase Shift Keying)に変調されることができる。制御メッセージのためのＰＡＣＣＨは、ＧＭＳＫにのみ変調される。ＰＤＴＣＨが８-ＰＳＫに継続的に変調され、移動局はＰＤＴＣＨに対するＢＥＰを測定すると、移動局が８-ＰＳＫに基づいたＢＥＰだけを報告するため、基地局は不適切なＭＣＳを選択することができる。
【０００７】
多様なチャネル状態を示すことができるＢＥＰを決定する方法が必要である。
【発明の概要】
【発明が解決しようとする課題】
【０００８】
ＥＧＰＲＳ(EnhancedGeneral Packet Radio Service)システムにおいて、チャネル品質を報告する方法及び装置が提供される。
【課題を解決するための手段】
【０００９】
一態様において、無線通信システムにおいて、移動局がチャネル品質を報告する方法を提供する。前記方法は、制御ブロックのために割り当てられた無線ブロックを受信し、前記制御ブロックは、ヘッダと制御メッセージを含み、前記ヘッダは、識別子を含む段階、前記識別子が前記移動局を識別する時、前記制御ブロックのために割り当てられた無線ブロックに対するチャネル品質を測定する段階、及び前記チャネル品質を報告する段階、を含む。
【００１０】
他の態様において、無線通信システムにおいて、チャネル品質を受信する方法を提供する。前記方法は、制御ブロックのために割り当てられた無線ブロックを伝送し、前記制御ブロックは、ヘッダと少なくとも一つの制御メッセージを含み、前記ヘッダは、チャネル品質を報告する移動局を識別する識別子を含む段階、及び前記移動局から前記無線ブロックに対するチャネル品質を受信する段階、を含む。
【００１１】
もう一つの態様において、無線通信システムにおいて、移動局がチャネル品質を報告する方法を提供する。前記方法は、ＰＡＣＣＨ(Packet Associated Control Channel)上に制御ブロックとＰＤＴＣＨ(PacketData Traffic Channel)上にデータブロックとを受信し、前記制御ブロックは、ヘッダと制御メッセージを含み、前記制御ブロックのヘッダは、識別子を含み、前記データブロックは、ヘッダと上位階層データを含み、前記データブロックのヘッダは、前記識別子を含む段階、前記識別子が前記移動局を識別する時、前記ＰＡＣＣＨ及びＰＤＴＣＨに対するチャネル品質を測定する段階、及び前記チャネル品質を報告する段階、を含む。
【００１２】
もう一つの態様において、無線機器は、無線ブロックを送信及び受信するＲＦ(Radio Frequency)部、及び前記ＲＦ部と連結されて、制御ブロックに対する無線ブロックのチャネル品質を測定するプロセッサを含み、前記制御ブロックは、ヘッダと少なくとも一つの制御メッセージを含み、前記ヘッダは、移動局を識別する識別子を含む。
【発明の効果】
【００１３】
移動局は、自分の制御ブロックのためのチャネル品質を測定することができる。制御ブロックに対するチャネル品質を報告することによって、リンク適応過程がさらに効率的に遂行されることができる。
【図面の簡単な説明】
【００１４】
【図１】無線通信システムを示したブロック図である。
【図２】移動局の要素を示したブロック図である。
【図３】本発明の実施例に係るチャネル品質報告方法を示すフローチャートである。
【図４】無線ブロックを示した概念図である。
【図５】データ伝送のためのＲＬＣ/ＭＡＣブロックヘッダを示す。
【図６】無線インターフェースプロトコルの階層を示した概念図である。
【図７】ダウンリンクＲＬＣ/ＭＡＣ制御ブロックの一例を示す。
【図８】本発明の他の実施例に係るチャネル品質報告方法を示すフローチャートである。
【図９】本発明のもう一つの実施例に係るチャネル品質報告方法を示すフローチャートである。
【発明を実施するための形態】
【００１５】
図１は、無線通信システムを示したブロック図である。これはＧＳＭ(Global System for Mobile communication)/ＧＰＲＳ(General Packet RadioService)基盤のネットワークを示す。無線通信システムは、音声、パケットデータなどのような多様な通信サービスを提供するために広く配置される。
【００１６】
図１を参照すると、移動局(１０；Mobile Station、MS)は、使用者が持ち運びのできる通信装備を意味して、ＵＥ(User Equipment)、ＵＴ(UserTerminal)、ＳＳ(Subscriber Station)、無線機器(wireless device)等、他の用語とも呼ばれることができる。基地局(２０；BaseStation、BS)は、ＢＴＳ(２２、Base Transceiver Station)とＢＳＣ(２４、Base Station Controller)を含む。ＢＴＳ(２２)は、一つのセル領域内の移動局(１０)と無線インターフェースを介して通信して、移動局(１０)との同期化などの機能を遂行する。ＢＳＣ(２４)は、少なくとも一つのＢＴＳ(２２)をＭＳＣ(MobileSwitching Center；３０)とインターフェースさせる。基地局(２０)は、ＢＳＳ(base station subsystem)、ｎｏｄｅ-Ｂ、及びアクセスポイント(accesspoint)などとも呼ばれることができる。
【００１７】
ＭＳＣ(３０)は、ＧＭＳＣ(GatewayMSC、６０)を介してＰＳＴＮ(Public Switching Telephone Network、６５)やＰＬＭＮ(Public Land MobileNetwork)などのような異種網と基地局(２０)との間を接続させる。ＶＬＲ(Visitor Location Register、４０)は、臨時的な使用者データを格納して、ＭＳＣ(３０)サービス領域で全ての移動局(１０)のローミングに関する情報を含む。ＨＬＲ(HomeLocation Register、５０)は、ホームネットワークの全ての加入者に対する情報を含む。ＳＧＳＮ(Serving GPRS Support Node、７０)は、加入者の移動性管理(mobilitymanagement)を担当する。ＧＧＳＮ(Gateway GPRS Support Node、８０)は、移動局(１０)の現在位置にパケットをルーティングして、ＰＤＮ(PublicData Network、８５)のような外部パケットデータ網とインターフェースする。
【００１８】
ＴＢＦ(TemporaryBlock Flow)は、基本的な物理的サブチャネル上にＲＬＣ(Radio Link Control)ＰＤＵ(Protocol Data Unit)の単方向伝送を支援するための２個のＭＡＣ(MediumAccess Control)個体により提供される論理的な連結である。ＴＢＦは、パケットアイドルモード(packet idle mode)で提供されない。パケットアイドルモードでパケットデータ物理チャネル上のどんな無線資源も移動局に割り当てられない。パケット伝送モード(packet transfer mode)で少なくとも一つのＴＢＦが提供される。パケット伝送モードで、パケットデータの伝送のための少なくとも一つまたはその以上のパケットデータ物理チャネル上の無線資源が移動局に割り当てられる。ＭＡＣ-アイドル状態(MAC-idlestate)は、基本的な物理的サブチャネルが割り当てられないＭＡＣ制御個体(MAC-control-entity)をいう。ＴＦＩ(Temporary FlowIdentity)は、ネットワークにより各ＴＢＦに割り当てられる。移動局は、ＴＦＩ値がＴＢＦに使われる全てのＰＤＣＨ(Packet Data Channel)上で同じ方向(アップリンクまたはダウンリンク)に同時多発的(concurrent)ＴＢＦのうちで固有であると仮定する。同じＴＦＩ値は、他のＰＤＣＨ上のＴＢＦと同じ方向で、また、ＴＢＦと異なる方向で、同時多発的に使われてもよい。
【００１９】
図２は、移動局の要素を示したブロック図である。移動局(５０)は、プロセッサ(processor、５１)、メモリ(memory、５２)、ＲＦ部(RF unit、５３)、ディスプレー部(displayunit、５４)、使用者インターフェース部(user interface unit、５５)を含む。メモリ(５２)は、プロセッサ(５１)と連結されて、移動局駆動システム、アプリケーション及び一般的なファイルを格納する。ディスプレー部(５４)は、移動局の多様な情報をディスプレーして、ＬＣＤ(LiquidCrystal Display)、ＯＬＥＤ(Organic Light Emitting Diodes)等、よく知られた要素を使用することができる。使用者インターフェース部(５５)は、キーパッドやタッチスクリーンなど、よく知られた使用者インターフェースの組合せからなることができる。ＲＦ部(５３)は、プロセッサと連結されて、無線信号(radiosignal)を送信及び/または受信する。
【００２０】
プロセッサ(５１)は、ＲＬＣ(RadioLink Control)階層及びＭＡＣ(Medium Access Control)階層の機能を具現する。プロセッサは、無線ブロック(RadioBlock)を介して伝送されるデータブロック(例えば、RLC/MAC block)または制御ブロック(例えば、RLC/MAC control block)を生成する。プロセッサ(５１)は、各無線ブロックに対するチャネル品質を測定して、基地局に報告する。
【００２１】
図３は、本発明の実施例に係るチャネル品質報告方法を示すフローチャートである。
【００２２】
図３を参照すると、基地局(またはネットワーク)は、移動局に無線ブロック(radio block)を伝送する(Ｓ１１０)。これはパケット伝送モード(PacketTransfer Mode)になる。無線ブロックは、データブロックまたは制御ブロック(control)に割り当てられてもよい。データブロックは、ヘッダと上位階層(upperlayer)データを含み、制御ブロックは、ヘッダと制御メッセージを含む。無線通信システムにおいて、基地局と移動局の相互間の通信のために制御メッセージが必要である。制御メッセージは、ＭＣＳ(modulationand coding scheme)インデックスや割当を受けた無線資源(Radio Resource)に対する情報などを含む。データブロックが伝送される前にデータブロックの帯域幅や変調方式を決定するために制御ブロックが伝送されなければならない。
【００２３】
ＧＰＲＳ/ＥＧＰＲＳトラフィック専用の物理チャネルは、ＰＤＣＨ(PacketData Channel)という。ＰＤＴＣＨ(Packet Data Traffic Channel)とＰＡＣＣＨ(Packet AssociatedControl Channel)のような論理チャネルは、ＰＤＣＨにマッピングされる。データブロックは、ＰＤＴＣＨ上に伝送されて、制御ブロックは、ＰＡＣＣＨ上に伝送される。
【００２４】
移動局は、自分にのみ属する識別子、例えば、自分に属するＴＦＩを有する無線ブロックであるか否かを確認する(Ｓ１２０)。ＥＧＰＲＳダウンリンクＴＢＦ伝送が行われる間、移動局は受信した信号品質(signal quality)を測定する。前記信号品質は指定された移動局の無線ブロックに対して測定する。移動局は、ＴＦＩを介して自分を指す無線ブロックであるか否かを確認する。
【００２５】
ＴＦＩを確認した移動局は、チャネル品質を測定する(Ｓ１３０)。移動局は、自分に割り当てられたＴＦＩが含まれた無線ブロックに対してチャネル品質を測定する。各チャネルの信号品質は、移動局によりバースト単位(burst-by-burst)によって測定される。チャネル品質測定のための尺度は、ＢＥＰ(BitError Probability)であってもよい。ＢＥＰは、平均ＢＥＰ(Mean BEP)と分散係数ＢＥＰ(coefficient of variationof BEP；CV BEP)を含む。ＢＥＰは、できる限り全ての変調方式に対して測定される。例えば、システムがＧＭＳＫ(Gaussian MinimumShift Keying)と８-ＰＳＫ(８-Phase Shift Keying)を支援するとすると、ＧＭＳＫと８-ＰＳＫに対する各々の平均ＢＥＰと分散係数ＢＥＰを測定する。
【００２６】
移動局は、測定されたチャネル品質を基地局に報告する(Ｓ１４０)。移動局は、ＰＡＣＣＨ(Packet Associated Control Channel)を介してチャネル品質を報告することができる。基地局は、報告されるチャネル品質を介してＭＣＳを決定してこれを移動局に知らせることができる。
【００２７】
図４は、無線ブロックを示した概念図である。
【００２８】
図４を参照すると、ＥＧＰＲＳシステムにおいて、一つのフレーム(frame)は８個のタイムスロット(time slot)(ＴＳ０,ＴＳ１,...,ＴＳ７)で構成される。無線ブロックは、相異のフレームに属する４個の連続された(consecutive)タイムスロットからなる。例えば、無線ブロックは、４個の連続されたフレームで第１のタイムスロット(ＴＳ０)を一つずつ取って構成することができる。ここでは、第１のタイムスロット(ＴＳ０)に対して取っているが、他のタイムスロットを取ってもよい。
【００２９】
一つの無線ブロックに対する平均ＢＥＰは、下記式の通りである。
【００３０】
【数１】
2010514249.tif 000003
ここで、ＢＥＰburst iはi番目バーストに対するＢＥＰである。バーストはタイムスロットに伝送された情報をいう。
【００３１】
無線ブロックに対する分散係数ＢＥＰは、下記式の通りである。
【００３２】
【数２】
2010514249.tif 000004
チャネル品質は、各無線ブロックに対するＢＥＰをチャネル当り、また、変調方式当り平均して求める。各変調方式に対する品質パラメータの信頼度Ｒｎを下記式の通り定義する。
【００３３】
【数３】
2010514249.tif 000005
ここで、ｎは各ダウンリンク無線ブロック当り増加される反復インデックス(iteration index)、ｅは忘却ファクタ(forgetting factor)、Ｘｎは(例えば、前記無線ブロックがこの移動局のためのものであると)各々の変調方式においてｎ番目ブロックに対する品質パラメータの存在を示す。Ｘｎの値は、品質パラメータの存在または不存在に従って各々１または０であってもよい。忘却ファクタｅは、基地局で伝送されるＢＥＰの周期に従って決定されることができる。
【００３４】
ｎ番目品質パラメータを下記式４及び式５の通りに求めることができる。
【００３５】
【数４】
2010514249.tif 000006
【００３６】
【数５】
2010514249.tif 000007
前記で求めた品質パラメータは、無線ブロックのフレーム当り一つのタイムスロットに対するチャネル品質である。
【００３７】
ＥＧＰＲＳシステムにおいて、移動局には多数のタイムスロットが割り当てられてもよい。従って、変調方式当り平均ＢＥＰと分散係数ＢＥＰは、割り当てられた全てのチャネル(タイムスロット)にわたって下記の式６及び式７の通りに平均する。
【００３８】
【数６】
2010514249.tif 000008
【００３９】
【数７】
2010514249.tif 000009
ここで、ｎは報告される時間の反復インデックスであり、ｊはチャネル番号(channel number)である。パケット伝送モードやＭＡＣ共有モードに入る時、或いは新しいセルを選択する時、ｎは０にリセットされる。ダウンリンクＴＢＦに対して新しいタイムスロットが割り当てられると、ＭＥＡＮ_ＢＥＰ_ＴＮｎ−１、ＣＶ_ＢＥＰ_ＴＮｎ−１及びＲｎ−１は０にリセットされる。
【００４０】
移動局は、各変調方式に対して前記式６と式７により計算される全体平均ＢＥＰと分散係数ＢＥＰ(例えば、GMSK_MEAN_BEP、GMSK_CV_BEP及び/または8PSK_MEAN_BEP、8PSK_CV_BEP)を報告する。移動局は、ネットワークに送った最後の測定報告以後に少なくとも一つの割り当てられたチャネル(タイムスロット)上に受信されたブロックを有している。また、移動局は、ネットワークの要求に従ってスロット当り測定値(MEAN_BEP_TNx)を報告することができる。
【００４１】
移動局は、自分に属する識別子、例えば、ＴＦＩが無線ブロックに含まれたヘッダに含まれているか否かを確認してチャネル品質を報告する。自分を指すＴＦＩが含まれた無線ブロックに対してチャネル品質を報告する。データ伝送と制御メッセージ伝送のためのＲＬＣ/ＭＡＣ(Radio Link Control and Medium Access Control)ブロック構造はお互いに異なってもよい。
【００４２】
図５は、データ伝送のためのＲＬＣ/ＭＡＣブロックヘッダを示す。
【００４３】
図５を参照すると、ＲＬＣ/ＭＡＣブロックヘッダのオクテット(octet)１と２には常にＴＦＩが含まれる。ここでオクテットは８ビットのシーケンスである。データ伝送時、移動局は、ＲＬＣ/ＭＡＣブロックヘッダに含まれたＴＦＩを介して自分に関する無線ブロックであるか否かを確認することができる。従って、自分に対する無線ブロックが伝送されると、常にチャネル品質をネットワークに報告することができる。
【００４４】
移動局がチャネル品質を計算してネットワークに報告すると、ネットワークは、チャネル品質を参照して現無線環境に最も適したＭＣＳを決定して移動局に送る。ネットワーク立場ではできる限り多くの情報を受けることが最適のＭＣＳの決定のために必要である。データ伝送だけでなく、制御メッセージ伝送において、チャネル品質が常に報告される必要がある。これはデータと制御信号が相異の変調方式に変調される場合さらに必要である。例えば、ＧＭＳＫと８ＰＳＫの二つの種類の変調方式を使用すると仮定する。このとき、データは８ＰＳＫに変調されて制御信号はＧＭＳＫに変調される場合、データに対するチャネル品質だけが報告されると、８ＰＳＫに対するチャネル品質(例えば、8PSK_MEAN_BEPと8PSK_CV_BEP)は報告されるが、ＧＭＳＫに対するチャネル品質は報告されない。この場合、ネットワークはＧＭＳＫに対するチャネル情報を正しく知るすることができない。従って、全体通信システムの性能が劣化される可能性がある。
【００４５】
制御メッセージに対して常にチャネル品質を報告するようにするために、多様な方式に制御ブロックでＴＦＩを確認することができる。このため、まず無線インターフェースプロトコル(radio interface protocol)の階層に対して説明する。
【００４６】
図６は、無線インターフェースプロトコルの階層を示した概念図である。
【００４７】
図６を参照すると、端末とネットワーク間の無線インターフェースプロトコルの階層は、通信システムにおいて、広く知られた開放型システム間相互接続(open system interconnection；OSI)モデルの下位３個階層に基づいてＬ１階層、Ｌ２階層、Ｌ３階層に区分されることができる。このうち、Ｌ１階層に属する物理階層は、物理チャネル(physicalchannel)を用いた情報伝送サービス(information transfer service)を提供して、Ｌ３階層に位置する無線資源制御(radioresource management；以下、RR managementという)階層は、端末とネットワーク間に無線資源を制御する役割を遂行する。このため、ＲＲｍａｎａｇｅｍｅｎｔ階層は、端末とネットワーク間にＲＲメッセージをお互いに交換する。
【００４８】
Ｌ１階層である物理階層は、ＯＳＩ基準モデルの最も下位階層であって、物理的な個体上でビットストリームの伝送に要求される全ての機能を支援する。物理階層は、データリンク階層(Data Link Layer)及びＲＬＣ/ＭＡＣ階層とインターフェースされる。相異の物理階層間、即ち、送信側と受信側の物理階層間は物理チャネルを介してデータが移動する。
【００４９】
ＴＦＩがＬ１階層またはＲＬＣ/ＭＡＣ階層で確認されるか否かに従ってチャネル品質を報告するか否かを決定する。即ち、チャネル品質測定は、Ｌ１階層で行われるため、ダウンリンクＲＬＣ/ＭＡＣ制御ブロックに含まれるＴＦＩを、Ｌ１階層で確認するかまたはＲＬＣ/ＭＡＣ階層で確認するかに従って、該当する制御ブロックに対するチャネル品質をネットワークに報告するか否かを決定することができる。
【００５０】
一実施例で、ダウンリンクＲＬＣ/ＭＡＣ制御ブロックのヘッダにＴＦＩを含ませることができる。Ｌ１階層でＲＬＣ/ＭＡＣ制御ブロックのヘッダをデコーディングすることができるため、ＴＦＩデコーディングが可能である。従って、Ｌ１階層が直接ＴＦＩを直接確認してチャネル品質を報告することができる。
【００５１】
図７は、ダウンリンクＲＬＣ/ＭＡＣ制御ブロックの一例を示す。
【００５２】
図７を参照すると、ダウンリンクＲＬＣ/ＭＡＣ制御ブロックのオクテット２にＴＦＩを含ませる。ＴＦＩを選択事項でない強制的事項であるオクテット２に配置して、Ｌ１階層が常にＴＦＩを確認することができるようにする。ここではオクテット２にＴＦＩを配置しているが、ＴＦＩをＭＡＣヘッダ部分に配置してもよい。または、オクテット１やオクテット３の一部分を強制事項とし、ＴＦＩを配置してもよい。
【００５３】
他の実施例で、ＴＦＩ確認をＬ１階層でないＲＬＣ/ＭＡＣ階層で遂行することができる。ＲＬＣ/ＭＡＣ制御ブロックのヘッダ部分にＴＦＩが含まれないとしても、制御メッセージ目録(controlmessage contents)には常にＴＦＩが含まれる。このとき、制御メッセージ目録は、Ｌ１階層がその内容を確認することができない。即ち、一般的な制御メッセージ目録は、Ｌ１階層でデコーディングされず、その上位階層であるＲＬＣ/ＭＡＣ階層でデコーディング可能である。従って、制御メッセージ目録に対するデコーディングの可能なＲＬＣ/ＭＡＣ階層でＴＦＩを確認すると、制御ブロックに対して常にＴＦＩ確認が可能である。
【００５４】
もう一つの実施例で、Ｌ１階層で制御メッセージ目録に含まれたＴＦＩを確認することができる。例えば、Ｌ１階層で制御メッセージ目録に含まれたＴＦＩがデコーディング可能に制御メッセージ目録をエンコーディングすることができる。または、制御メッセージ目録をデコーディングすることができる機能をＬ１階層に付加して制御メッセージ目録に含まれたＴＦＩを確認するようにすることができる。この場合、制御メッセージ目録に含まれるＴＦＩを常に確認することができる。従って、移動局に対するＴＦＩを有する制御ブロックに対して常にチャネル品質を報告することができる。
【００５５】
図８は、本発明の他の実施例に係るチャネル品質報告方法を示すフローチャートである。
【００５６】
図８を参照すると、基地局(またはネットワーク)は、移動局に無線ブロックを伝送する(Ｓ２１０)。無線ブロックは、制御メッセージを含む制御ブロックであってもよい。
【００５７】
移動局は、受信した無線ブロックに対してＢＥＰを計算する(Ｓ２２０)。ＢＥＰは、平均ＢＥＰと分散係数ＢＥＰを含み、式１及び式２により各々計算することができる。
【００５８】
移動局は、自分にのみ属する識別子、例えば、自分に属するＴＦＩを有する無線ブロックであるか否かを確認する(Ｓ２３０)。移動局は、ＴＦＩを介して自分を指す無線ブロックであるか否かを確認する。
【００５９】
ＴＦＩを確認した移動局はチャネル品質を計算する(Ｓ２４０)。即ち、移動局は自分に割り当てられたＴＦＩが含まれた無線ブロックに対してチャネル品質を計算する。チャネル品質は、各無線ブロックに対するＢＥＰをチャネル当り、また、変調方式当り平均して求めて、式６及び式７の通りに求めることができる。
【００６０】
移動局は、測定されたチャネル品質を基地局に報告する(Ｓ２５０)。基地局は、報告されるチャネル品質を介してＭＣＳを決定してこれを移動局に知らせることができる。
【００６１】
図９は、本発明のもう一つの実施例に係るチャネル品質報告方法を示すフローチャートである。
【００６２】
図９を参照すると、基地局(またはネットワーク)は、移動局に無線ブロックを伝送する(Ｓ３１０)。無線ブロックは、制御メッセージを含む制御ブロックであってもよい。
【００６３】
移動局は、受信した無線ブロックに対してチャネル品質を測定する(Ｓ３２０)。チャネル品質は、各無線ブロックに対するＢＥＰをチャネル当り、また、変調方式当り平均して求めて、式６及び式７の通りに求めることができる。移動局は、自分が成功的にデコーディングした全ての無線ブロックに対してチャネル品質を測定する。
【００６４】
移動局は、自分にのみ属する識別子、例えば、自分に属するＴＦＩを有する無線ブロックであるか否かを確認する(Ｓ３３０)。移動局は、ＴＦＩを介して自分を指す無線ブロックであるか否かを確認する。
【００６５】
移動局は、自分を指す無線ブロックに対するチャネル品質を基地局に報告する(Ｓ３４０)。基地局は、報告されるチャネル品質を介してＭＣＳを決定してこれを移動局に知らせることができる。
【００６６】
本発明は、ハードウェア、ソフトウェアまたはこれらの組合せにより具現されることができる。ハードウェア具現において、上述した機能を遂行するためにデザインされたＡＳＩＣ(application specific integrated circuit)、ＤＳＰ(digital signalprocessing)、ＰＬＤ(programmable logic device)、ＦＰＧＡ(field programmable gate array)、プロセッサ、制御機、マイクロプロセッサ、他の電子ユニットまたはこれらの組合せにより具現されることができる。ソフトウェア具現において、上述した機能を遂行するモジュールにより具現されることができる。ソフトウェアは、メモリユニットに格納されることができて、プロセッサにより実行される。メモリユニットやプロセッサは、当業者によく知られた多様な手段を採用されてもよい。
【００６７】
以上、本発明に対して実施例を参照して説明したが、該当技術分野の通常の知識を有する者は、本発明の技術的思想及び領域から外れない範囲内で、本発明を多様に修正及び変更させて実施可能であることを理解することができる。従って、上述した実施例に限定されることなく、本発明は特許請求の範囲内の全ての実施例を含む。
【符号の説明】
【００６８】
１０  移動局
２０  基地局
２２  ＢＴＳ
２４  ＢＳＣ
３０  ＭＳＣ
４０  ＶＬＲ
５０  ＨＬＲ、移動局
５１  プロセッサ
５２  メモリ
５３  ＲＦ部
５４  ディスプレー部
５５  使用者インターフェース部
６０  ＧＭＳＣ
６５  ＰＳＴＮ
７０  ＳＧＳＮ
８０  ＧＧＳＮ
８５  ＰＤＮ
【図１】
2010514249.tif 000010
【図２】
2010514249.tif 000011
【図３】
2010514249.tif 000012
【図４】
2010514249.tif 000013
【図５】
2010514249.tif 000014
【図６】
2010514249.tif 000015
【図７】
2010514249.tif 000016
【図８】
2010514249.tif 000017
【図９】
2010514249.tif 000018
【国際調査報告】
2010514249.tif 000019
2010514249.tif 000020